(57)【特許請求の範囲】
【請求項１】
電極を有するカードを後方向に沿って挿入可能であると共に前方向に沿って前記カードを抜去可能なコネクタであって、
保持部材と、前記保持部材に保持されたコンタクトとを備えており、
前記コンタクトは、前記保持部材に保持固定される被固定部と、前記被固定部から延びる第１バネ部と、第２バネ部とを有しており、
前記第１バネ部は、２つの被押圧部と、可動起点部と、移動可能な可動端部とを有しており、
前記被押圧部は、前記可動端部と前記被固定部との間に位置しており、
前記後方向及び前記前方向の一方である移動方向に沿って前記カード又は前記カードと同じ外部形状を有する枠体のカードアダプタからなる挿入物が移動する際に、前記被押圧部は、前記挿入物の有する押圧部に押圧されて前記移動方向と直交する下方向に移動するものであり、
前記被押圧部が前記下方向に移動するとき、前記可動起点部は前記下方向に移動し、
前記第２バネ部は、前記可動起点部から延びており、
前記移動方向及び前記下方向と直交する横方向における前記第２バネ部の位置は、前記横方向における２つの前記被押圧部の間に位置しており、
前記第２バネ部には、自由端と、前記カードの前記電極と接触するための接点とが設けられており、
前記接点は、前記自由端と前記可動起点部との間に位置しており、
前記挿入物が前記移動方向に移動した際、前記可動起点部の移動に伴って前記第２バネ部は前記下方向に移動し、それによって、前記挿入物が前記第２バネ部の前記自由端に接触することが防止されており、
前記保持部材には、金属製の受止部であって、前記押圧部に前記被押圧部が押圧されて前記コンタクトが変形した際に前記可動端部を移動可能に受け止める受止部が組み込まれており、
前記第１バネ部は、第１梁部と、第２梁部と、前記横方向において前記第１梁部と前記第２梁部とを連結する連結部とを有しており、
前記被押圧部は、前記第１梁部の一部及び前記第２梁部の一部として設けられており、
前記可動起点部は、前記連結部の一部として設けられており、
前記第１梁部と前記第２梁部と前記連結部は、Ｈ字形状を有している
コネクタ。
【請求項２】
電極を有するカードを後方向に沿って挿入可能であると共に前方向に沿って前記カードを抜去可能なコネクタであって、
保持部材と、前記保持部材に保持されたコンタクトとを備えており、
前記コンタクトは、前記保持部材に保持固定される被固定部と、前記被固定部から延びる第１バネ部と、第２バネ部とを有しており、
前記第１バネ部は、２つの被押圧部と、可動起点部と、移動可能な可動端部とを有しており、
前記被押圧部は、前記可動端部と前記被固定部との間に位置しており、
前記後方向及び前記前方向の一方である移動方向に沿って前記カード又は前記カードと同じ外部形状を有する枠体のカードアダプタからなる挿入物が移動する際に、前記被押圧部は、前記挿入物の有する押圧部に押圧されて前記移動方向と直交する下方向に移動するものであり、
前記被押圧部が前記下方向に移動するとき、前記可動起点部は前記下方向に移動し、
前記第２バネ部は、前記可動起点部から延びており、
前記移動方向及び前記下方向と直交する横方向における前記第２バネ部の位置は、前記横方向における２つの前記被押圧部の間に位置しており、
前記第２バネ部には、自由端と、前記カードの前記電極と接触するための接点とが設けられており、
前記接点は、前記自由端と前記可動起点部との間に位置しており、
前記挿入物が前記移動方向に移動した際、前記可動起点部の移動に伴って前記第２バネ部は前記下方向に移動し、それによって、前記挿入物が前記第２バネ部の前記自由端に接触することが防止されており、
前記コネクタは、回路基板の搭載面上に固定されるものであり、
前記回路基板の前記搭載面の一部は、前記押圧部に前記被押圧部が押圧されて前記コンタクトが変形した際に前記可動端部を移動可能に受け止める受止部として機能し、
前記第１バネ部は、第１梁部と、第２梁部と、前記横方向において前記第１梁部と前記第２梁部とを連結する連結部とを有しており、
前記被押圧部は、前記第１梁部の一部及び前記第２梁部の一部として設けられており、
前記可動起点部は、前記連結部の一部として設けられており、
前記第１梁部と前記第２梁部と前記連結部は、Ｈ字形状を有している
コネクタ。
【請求項３】
請求項１記載のコネクタであって、
前記コネクタは、回路基板の搭載面上に固定されるものであり、
前記第２バネ部の前記自由端は、前記カードの前記電極が前記接点と接触している状態において前記回路基板の前記搭載面まで達しないように、設けられている
コネクタ。
【請求項４】
請求項１から請求項３までのいずれかに記載のコネクタであって、
前記コンタクトを前記横方向に沿って見た場合に、前記第２バネ部の前記自由端は前記第１梁部の上面及び前記第２梁部の上面より下側に位置している
コネクタ。
【請求項５】
請求項１から請求項４までのいずれかに記載のコネクタであって、
前記可動端部は、前記第１梁部の前端部と前記第２梁部の前端部とを備えている
コネクタ。
【請求項６】
請求項１から請求項４までのいずれかに記載のコネクタであって、
前記第１バネ部は、前記第１梁部の前端部と前記第２梁部の前端部とを接続する接続端部を有しており、
前記可動端部は、前記接続端部の一部として形成されている
コネクタ。
【請求項７】
請求項１から請求項６までのいずれかに記載のコネクタであって、
前記移動方向は、前記後方向であり、
前記押圧部は、前記カードの先端又は前記カードアダプタの先端である
コネクタ。
【請求項８】
請求項７記載のコネクタであって、
前記コネクタは、前記保持部材に保持された後側コンタクトを備えていると共に、前記コンタクトとして前側コンタクトを備えており、
前記前側コンタクトは、前記後側コンタクトよりも前側に位置しており、
前記第２バネ部は、前記可動起点部から前側に延びており、前記自由端として前端を有している
コネクタ。
【請求項９】
請求項１から請求項６までのいずれかに記載のコネクタであって、
前記挿入物は、前記カードアダプタであり、
前記移動方向は、前記前方向であり、
前記押圧部は、前記枠体の内壁の一部であり、前記前方向と交差している
コネクタ。
【請求項１０】
請求項９記載のコネクタであって、
前記コネクタは、前記保持部材に保持された前側コンタクトを備えていると共に、前記コンタクトとして後側コンタクトを備えており、
前記前側コンタクトは、前記後側コンタクトよりも前側に位置しており、
前記第２バネ部は、前記可動起点部から後側に延びており、前記自由端として後端を有している
コネクタ。
【請求項１１】
請求項１から請求項１０までのいずれかに記載のコネクタであって、
前記コネクタは、前記保持部材に取り付けられて、前記挿入物を少なくとも部分的に収容する収容部を前記保持部材と共に構成するシェルを更に備えており、
前記保持部材は、前記収容部の底面を構成する主面を有しており、
前記第２バネ部の前記自由端は、前記収容部に前記挿入物が収容されていない状態において前記保持部材の前記主面よりも上側に位置している
コネクタ。
【発明の詳細な説明】
【技術分野】
【０００１】
本発明は、SIM(Subscriber Identity Module)カードのようなカードと接続するコネクタに関する。
【背景技術】
【０００２】
この種のコネクタとしては、例えば、特許文献１に開示されたものがある。図１６に示されるように、特許文献１のコネクタは、保持部材と、その保持部材に保持されたコンタクトとを備えている。コンタクトは、山形形状の接点と、接点よりも前側に位置するシュー部とを有している。保持部材には、サポート部が設けられている。コネクタにカードが挿入されると、カードによって接点が押圧されて弾性変形し、シュー部がサポート部の上をスライドする。これにより、コネクタの低背化が進んだ場合であっても、カードの電極に対するコンタクトの接触力を確保することができる。
【先行技術文献】
【特許文献】
【０００３】
【特許文献１】特開２００９−１２９８９０号公報
【発明の概要】
【発明が解決しようとする課題】
【０００４】
しかしながら、特許文献１のコネクタを実現すると、コンタクトの長さをかなり長くしなければならず、コネクタの小型化の要請に応えられない。
【０００５】
本発明は、カードの電極に対するコンタクトの十分な接触力を確保しつつコネクタ全体の小型化を図ることのできるコネクタを提供することを目的とする。
【課題を解決するための手段】
【０００６】
特許文献１のコンタクトからシュー部を除いてしまえば、コンタクトの長さを短くすることができる。また、コンタクトの接点の初期位置を上側に位置させることとすれば接点の移動距離が稼げることから接触力も得ることができる。しかし、このような構成とすると、コンタクトが座屈してしまう恐れがある。そこで、本発明においては、接点の十分な移動距離を確保しつつコンタクトの座屈を防止するために、挿入されたカードによって押圧されて弾性変形する部位と接点とを機能的に分けることとした。具体的には、本発明は、上述した課題を解決するための手段として、以下のコネクタを提供する。
【０００７】
即ち、本発明は、第１のコネクタとして、
電極を有するカードを後方向に沿って挿入可能であると共に前方向に沿って前記カードを抜去可能なコネクタであって、
保持部材と、前記保持部材に保持されたコンタクトとを備えており、
前記コンタクトは、前記保持部材に保持固定される被固定部と、前記被固定部から延びる第１バネ部と、第２バネ部とを有しており、
前記第１バネ部は、２つの被押圧部と、可動起点部と、移動可能な可動端部とを有しており、
前記被押圧部は、前記可動端部と前記被固定部との間に位置しており、
前記後方向及び前記前方向の一方である移動方向に沿って前記カード又は前記カードと同じ外部形状を有する枠体のカードアダプタからなる挿入物が移動する際に、前記被押圧部は、前記挿入物の有する押圧部に押圧されて前記移動方向と直交する下方向に移動するものであり、
前記被押圧部が前記下方向に移動するとき、前記可動起点部は前記下方向に移動し、
前記第２バネ部は、前記可動起点部から延びており、
前記移動方向及び前記下方向と直交する横方向における前記第２バネ部の位置は、前記横方向における２つの前記被押圧部の間に位置しており、
前記第２バネ部には、自由端と、前記カードの前記電極と接触するための接点とが設けられており、
前記接点は、前記自由端と前記可動起点部との間に位置しており、
前記挿入物が前記移動方向に移動した際、前記可動起点部の移動に伴って前記第２バネ部は前記下方向に移動し、それによって、前記挿入物が前記第２バネ部の前記自由端に接触することが防止されている
コネクタを提供する。
【０００８】
また、本発明は、第２のコネクタとして、第１のコネクタであって、
前記保持部材には、前記押圧部に前記被押圧部が押圧されて前記コンタクトが変形した際に前記可動端部を移動可能に受け止める受止部が形成されている
コネクタを提供する。
【０００９】
また、本発明は、第３のコネクタとして、第１のコネクタであって、
前記保持部材には、金属製の受止部であって、前記押圧部に前記被押圧部が押圧されて前記コンタクトが変形した際に前記可動端部を移動可能に受け止める受止部が組み込まれている
コネクタを提供する。
【００１０】
また、本発明は、第４のコネクタとして、第１乃至第３のいずれかのコネクタであって、
前記第１バネ部は、第１梁部と、第２梁部と、前記横方向において前記第１梁部と前記第２梁部とを連結する連結部とを有しており、
前記被押圧部は、前記第１梁部の一部及び前記第２梁部の一部として設けられており、
前記可動起点部は、前記連結部の一部として設けられている
コネクタを提供する。
【００１１】
また、本発明は、第５のコネクタとして、第４のコネクタであって、
前記コンタクトを前記横方向に沿って見た場合に、前記第２バネ部の前記自由端は前記第１梁部の上面及び前記第２梁部の上面より下側に位置している
コネクタを提供する。
【００１２】
また、本発明は、第６のコネクタとして、第４又は第５のコネクタであって、
前記可動端部は、前記第１梁部の前端部と前記第２梁部の前端部とを備えている
コネクタを提供する。
【００１３】
また、本発明は、第７のコネクタとして、第４又は第５のコネクタであって、
前記第１バネ部は、前記第１梁部の前端部と前記第２梁部の前端部とを接続する接続端部を有しており、
前記可動端部は、前記接続端部の一部として形成されている
コネクタを提供する。
【００１４】
また、本発明は、第８のコネクタとして、第１乃至第７のいずれかのコネクタであって、
前記移動方向は、前記後方向であり、
前記押圧部は、前記カードの先端又は前記カードアダプタの先端である
コネクタを提供する。
【００１５】
また、本発明は、第９のコネクタとして、第８のコネクタであって、
前記コネクタは、前記保持部材に保持された後側コンタクトを備えていると共に、前記コンタクトとして前側コンタクトを備えており、
前記前側コンタクトは、前記後側コンタクトよりも前側に位置しており、
前記第２バネ部は、前記可動起点部から前側に延びており、前記自由端として前端を有している
コネクタを提供する。
【００１６】
また、本発明は、第１０のコネクタとして、第１乃至第７のいずれかのコネクタであって、
前記挿入物は、前記カードアダプタであり、
前記移動方向は、前記前方向であり、
前記押圧部は、前記枠体の内壁の一部であり、前記前方向と交差している
コネクタを提供する。
【００１７】
また、本発明は、第１１のコネクタとして、第１０のコネクタであって、
前記コネクタは、前記保持部材に保持された前側コンタクトを備えていると共に、前記コンタクトとして後側コンタクトを備えており、
前記前側コンタクトは、前記後側コンタクトよりも前側に位置しており、
前記第２バネ部は、前記可動起点部から後側に延びており、前記自由端として後端を有している
コネクタを提供する。
【００１８】
また、本発明は、第１２のコネクタとして、第１乃至第１１のいずれかのコネクタであって、
前記コネクタは、前記保持部材に取り付けられて、前記挿入物を少なくとも部分的に収容する収容部を前記保持部材と共に構成するシェルを更に備えており、
前記保持部材は、前記収容部の底面を構成する主面を有しており、
前記第２バネ部の前記自由端は、前記収容部に前記挿入物が収容されていない状態において前記保持部材の前記主面よりも上側に位置している
コネクタを提供する。
【００１９】
また、本発明は、第１３のコネクタとして、第１乃至第１２のいずれかのコネクタであって、
前記コネクタは、回路基板の搭載面上に固定されるものであり、
前記第２バネ部の前記自由端は、前記カードの前記電極が前記接点と接触している状態において前記回路基板の前記搭載面まで達しないように、設けられている
コネクタを提供する。
【発明の効果】
【００２０】
挿入物（カード又はカードアダプタ）の移動によって主として弾性変形する第１バネ部と接点が設けられた第２バネ部とを区別しうるように構成すると共に、挿入物が移動した際に、第２バネ部が下方向に移動して、挿入物が第２バネ部の自由端に接触しないように形成されている。そのため、接点の十分な移動距離を確保しつつコンタクトの座屈を防止することができる。
【００２１】
なお、従来、挿入物としてカードのみが考慮され且つ注意していたカードの移動方向は後方向（挿入方向）であったが、挿入物がサイズ変換用のカードアダプタである場合にであってカードアダプタの移動方向が前方向（抜去方向）である場合も、同様の概念を利用して、コンタクトの座屈を防止できる。
【図面の簡単な説明】
【００２２】
【図１】本発明の実施の形態によるコネクタを示す分解斜視図である。
【図２】図１のコネクタを示す斜視図である。
【図３】図２のコネクタを示す上面図である。
【図４】図２のコネクタを示す正面図である。
【図５】図２のコネクタを示す背面図である。
【図６】図３のコネクタをVI--VI線に沿って示す断面図である。
【図７】図１のコネクタに含まれる前側コンタクトを示す斜視図である。
【図８】図１のコネクタに含まれる後側コンタクトとその近傍を拡大して示す斜視図である。
【図９】図４のコネクタの一部を拡大して示す正面図である。
【図１０】図５のコネクタの一部を拡大して示す背面図である。
【図１１】図６のコネクタの一部を示す断面図である。カードがコネクタにカード（二点鎖線で示す）が挿入され、前側コンタクトは変形している。コネクタは、回路基板（点線で示す）の搭載面上に搭載固定されている。
【図１２】図２のコネクタに接続可能なカードを示す斜視図である。
【図１３】図１２のカードに対応するカードアダプタを示す斜視図である。
【図１４】変形例によるコネクタの一部を示す断面図である。
【図１５】他の変形例によるコネクタの一部を示す断面図である。
【図１６】特許文献１のコネクタを示す断面図である。
【発明を実施するための形態】
【００２３】
図１乃至図６を参照すると、本発明の実施の形態によるコネクタ１０は、カード２０（図１２参照）と接続するために用いられるものであり、図２に示されるように、カード２０を部分的に収容可能な収容部１２を有している。換言すると、コネクタ１０は、カード２０を後方向（−Ｘ方向）に沿って挿入可能であると共に前方向（＋Ｘ方向）に沿ってカード２０を抜去可能なものである。図１１に示されるように、本実施の形態のコネクタ１０は、回路基板５０の搭載面５２上に固定されるものである。
【００２４】
図１２に示されるカード２０は、マイクロＳＩＭカードであり、複数の電極２４を有している。即ち、コネクタ１０は、マイクロＳＩＭ用のものである。図１３には、カードアダプタ３０が示されている。このカードアダプタ３０は、マイクロＳＩＭカードよりもサイズの小さいナノＳＩＭカードをコネクタ１０（図２参照）に接続するためのサイズ変換用のものである。具体的には、カードアダプタ３０は、カード２０（図１２参照）と同じ外部形状を有する枠体からなるものであり、枠体の内側には、ナノＳＩＭカード（図示せず）の外部形状に対応する空間３２が形成されている。カードアダプタ３０の空間３２にナノＳＩＭカード（図示せず）を嵌め込み、カードアダプタ３０とナノＳＩＭカードを共にコネクタ１０に挿入することにより、ナノＳＩＭカードをコネクタ１０に接続することができる。
【００２５】
これらのことから理解されるように、本実施の形態のコネクタ１０（図２参照）には、カード２０（図１２参照）とカードアダプタ３０（図１３参照）とが挿入物として挿入され得る。コンタクトの座屈防止の観点から着目すべき部位は、カード２０を挿入する場合、カード２０の挿入方向（即ち、後方向：−Ｘ方向）の先端２２であり、カードアダプタ３０を挿入する場合、カード２０の挿入方向（即ち、後方向：−Ｘ方向）の先端３４である。これに加えて、ナノＳＩＭカード（図示せず）を嵌めることなくカードアダプタ３０単体をコネクタ１０に挿入してしまった場合には、抜去方向（即ち、前方向：＋Ｘ方向）に沿ってカードアダプタ３０を抜去する際に先端３４に近い内壁３６によりコンタクトが座屈してしまうことを防止する必要がある。特に考慮すべきは、カードアダプタ３０の４つの内壁３６のうち前方向と交差しているものである。
【００２６】
以上より、「挿入物」としてカード２０やカードアダプタ３０を想定し、その挿入物の「移動方向」を後方向と想定した場合には、カード２０の先端２２やカードアダプタ３０の先端３４が「押圧部」としてコンタクトを座屈してしまわないようにコネクタ１０を構成する必要がある。また、「挿入物」としてカードアダプタ３０を想定し、その挿入物の「移動方向」を前方向と想定した場合には、カードアダプタ３０の内壁３６のうち前方向と交差しているものが「押圧部」としてコンタクトを座屈してしまわないようにコネクタ１０を構成する必要がある。
【００２７】
本実施の形態のコネクタ１０は、座屈防止構造の特徴は、カード２０の先端２２やカードアダプタ３０の先端３４を「押圧物」とした場合もカードアダプタ３０の内壁３６を「押圧物」とした場合も基本的には同じであるが、「移動方向」が互いに逆方向となるため、特徴となる構造の配置が前後方向（Ｘ方向）において逆になる。以下、この点も含め、本実施の形態のコネクタ１０の構造について、より具体的に説明する。
【００２８】
図１に示されるように、主として絶縁体からなる保持部材１００と、金属製のシェル２００と、金属製の前側コンタクト（コンタクト）３００と、金属製の後側コンタクト（コンタクト）４００とを備えている。
【００２９】
保持部材１００は、前側コンタクト３００及び後側コンタクト４００を保持しており、それによって、前側コンタクト３００は後側コンタクト４００の前側に位置している。本実施の形態において、前側コンタクト３００と後側コンタクト４００は、インサート成型法により、保持部材１００の樹脂を成型する際に保持部材１００に組み込まれている。
【００３０】
シェル２００と保持部材１００とは組み合わせられ、上述した収容部１２を構成している。図１及び図２から理解されるように、保持部材１００の主面１０２は収容部１２の底面を構成している。図１及び図６に示されるように、保持部材１００には、後述するように前側コンタクト３００の一部と後側コンタクト４００の一部を夫々受け止める受止部１１０Ｆ，１１０Ｒが設けられている。なお、本実施の形態の保持部材１００には、金属製の補強部材１２０が埋め込まれている。そのため、保持部材１００の厚みを薄くしつつ強度を保つことができる。
【００３１】
図６及び図７から理解されるように、前側コンタクト３００は、保持部材１００に保持固定される被固定部３１０と、被固定部３１０から延びる第１バネ部３２０と、第１バネ部３２０から延びる第２バネ部３７０とを有している。
【００３２】
図７に示されるように、第１バネ部３２０は、第１梁部３３０と、第２梁部３４０と、連結部３５０と、接続端部３６０とを有している。
【００３３】
図７に示されるように、第１梁部３３０と第２梁部３４０の夫々は、概略、前後方向（Ｘ方向）に延びている。第１梁部３３０は、被押圧部３３４と、前端部３３６とを有している。図６に示されるように、被押圧部３３４は、初期状態（カード２０やカードアダプタ３０の未挿入時）において後方向と交差している。図６及び図７から理解されるように、第２梁部３４０は、被押圧部３４４と、前端部３４６とを有しており、被押圧部３４４は、初期状態において後方向と交差している。被押圧部３３４，３４４が初期状態において後方向と交差していることから、挿入物（図１２のカード２０や図１３のカードアダプタ３０）が移動方向（後方向）に沿って移動する際に、被押圧部３３４，３４４は、挿入物の有する押圧部（即ち、先端２２や先端３４）に押圧されて下方向（−Ｚ方向）に移動する。
【００３４】
図７に示されるように、連結部３５０は、横方向（Ｙ方向）において、第１梁部３３０と第２梁部３４０とを連結している。即ち、第１梁部３３０と第２梁部３４０と連結部３５０は、Ｈ字形状を有している。本実施の形態において、連結部３５０の横方向の中心は、可動起点部３５２として機能する。即ち、可動起点部３５２は、連結部３５０の一部として設けられている。この可動起点部３５２は、被押圧部３３４，３４４が下方向に移動するとき、第１梁部３３０及び第２梁部３４０の移動に連動して下方向に移動する。
【００３５】
接続端部３６０は、第１梁部３３０の前端部３３６と第２梁部３４０の前端部３４６とを接続している。接続端部３６０には、単一の可動端部３６２が設けられている。図６、図７及び図１１から理解されるように、可動端部３６２は、被押圧部３３４，３４４よりも前側（＋Ｘ側）に位置している。即ち、被押圧部３３４，３４４は、可動端部３６２と被固定部３１０との間に位置している。特に、本実施の形態の被押圧部３３４，３４４は、可動端部３６２と連結部３５０との間に位置している。図６に示されるように、初期状態において、可動端部３６２は受止部１１０Ｆから離れて位置している。図６、図７及び図１１から理解されるように、挿入物（図１２のカード２０や図１３のカードアダプタ３０）が収容部１２に収容され、押圧部（先端２２や先端３４）に被押圧部３３４，３４４が押圧されて前側コンタクト３００が変形した際に、可動端部３６２は上述した保持部材１００の受止部１１０Ｆに受け止められ、受止部１１０Ｆの上をスライドしながら移動する。
【００３６】
本実施の形態においては、第１梁部３３０の前端部３３６と第２梁部３４０の前端部３４６とが接続端部３６０によりまとめられており、可動端部３６２も一つだけとなっている。このため、カード２０（図１２参照）を後方向と斜交する方向に挿入した場合であっても、第１バネ部３２０が破損してしまうことがない。
【００３７】
図６及び図７を参照して、第２バネ部３７０は、可動起点部３５２から前側に延びている。第２バネ部３７０には、自由端である前端３７２と、カード２０（図１２参照）の電極２４と接触するための接点３７４とが設けられている。接点３７４は、前端３７２と可動起点部３５２との間に位置している。図７に示されるように、横方向における第２バネ部３７０の位置は、横方向における２つの被押圧部３３４，３４４の間に位置している。
【００３８】
図６及び図７から理解されるように、第２バネ部３７０の前端３７２は、被押圧部３３４，３４４よりも後側（−Ｘ側）に位置している。従って、挿入物（図１２のカード２０や図１３のカードアダプタ３０）が移動方向（後方向）に移動した際、挿入物は前端３７２のある位置に到達する前に被押圧部３３４，３４４に当たって被押圧部３３４，３４４を下方向に押し下げることとなる。上述したように、被押圧部３３４，３４４の押し下げにより、可動起点部３５２が下方向に移動すると、可動起点部３５２の移動に伴って第２バネ部３７０は下方向に移動する。このようにして、本実施の形態においては、前後方向において挿入物が第２バネ部３７０の位置に到達する頃には、第２バネ部３７０は初期状態から下方向に移動しており、挿入物が第２バネ部３７０の前端３７２に接触することはない。従って、挿入物の挿入により第２バネ部３７０を含む前側コンタクト３００が座屈してしまうことを防止することができる。
【００３９】
初期状態において、前側コンタクト３００を横方向に沿って見た場合に、本実施の形態の第２バネ部３７０の前端３７２は、第１梁部３３０の上面３３２及び第２梁部３４０の上面３４２より下側（−Ｚ側）に位置している。換言すると、第１梁部３３０の上面３３２及び第２梁部３４０の上面３４２にて形成される面（曲面）よりも、第２バネ部３７０の前端３７２は下側に潜っている。従って、より確実に座屈防止をすることができる。しかしながら、本発明はこれに限定されるわけではなく、挿入物が第２バネ部３７０の前端３７２に接触しない限り、初期状態において、第２バネ部３７０の前端３７２が第１梁部３３０の上面３３２及び第２梁部３４０の上面３４２より上側（＋Ｚ側）に位置していてもよい。
【００４０】
図４、図６及び図９に示されるように、第２バネ部３７０の前端３７２は、収容部１２に挿入物（図１２のカード２０や図１３のカードアダプタ３０）が収容されていない状態において保持部材１００の主面１０２よりも上側（＋Ｚ側）に位置している。これにより、接点３７４の位置も高くすることができ、接点３７４の移動距離も大きくとることができる。従って、カード２０（図１２参照）の電極２４に対する接点３７４の接触力も十分確保することができる。
【００４１】
図１１に示されるように、第２バネ部３７０の前端３７２は、カード２０（図１２参照）の電極２４が接点３７４と接触している状態において回路基板５０の搭載面５２まで達しないように、設けられている。従って、第２バネ部３７０の前端３７２が回路基板５０に突き当り回路基板５０を傷付けてしまったり、逆に回路基板５０に前端３７２が突き当たることで第２バネ部３７０が変形してしまったりすることを避けることができる。
【００４２】
図６及び図８から理解されるように、後側コンタクト４００は、保持部材１００に保持固定される被固定部４１０と、被固定部４１０から延びる第１バネ部４２０と、第１バネ部４２０から延びる第２バネ部４７０とを有している。
【００４３】
図８に示されるように、第１バネ部４２０は、第１梁部４３０と、第２梁部４４０と、連結部４５０と、追加連結部４６０とを有している。
【００４４】
図８に示されるように、第１梁部４３０と第２梁部４４０の夫々は、概略、前後方向に延びている。第１梁部４３０は、被押圧部４３４と、前端部４３６とを有している。図６に示されるように、被押圧部４３４は、初期状態において前方向と交差している。図６及び図８から理解されるように第２梁部４４０は、被押圧部４４４と、前端部４４６とを有しており、被押圧部４４４は、初期状態において前方向と交差している。被押圧部４３４，４４４が初期状態において前方向と交差していることから、挿入物（図１３のカードアダプタ３０）が移動方向（前方向）に沿って移動する際に、被押圧部４３４，４４４は、挿入物の有する押圧部（即ち、内壁３６）に押圧されて下方向に移動する。
【００４５】
図８に示されるように、連結部４５０は、横方向において、第１梁部４３０と第２梁部４４０とを連結している。同様に、追加連結部４６０は、横方向において、第１梁部４３０と第２梁部４４０とを連結している。即ち、第１梁部４３０と第２梁部４４０と連結部４５０と追加連結部４６０は、２段梯子形状を有している。本実施の形態において、連結部４５０の横方向の中心は、可動起点部４５２として機能する。即ち、可動起点部４５２は、連結部４５０の一部として設けられている。この可動起点部４５２は、被押圧部４３４，４４４が下方向に移動するとき、第１梁部４３０及び第２梁部４４０の移動に連動して下方向に移動する。
【００４６】
第１梁部４３０の前端部４３６と第２梁部４４０の前端部４４６は、夫々、可動端部として機能する。即ち、本実施の形態の後側コンタクト４００は、２つの可動端部４３６，４４６を有している。図６及び図８から理解されるように、可動端部４３６，４４６は、被押圧部４３４，４４４よりも前側（＋Ｘ側）に位置している。即ち、被押圧部４３４，４４４は、可動端部４３６，４４６と被固定部４１０との間に位置している。特に、本実施の形態の被押圧部４３４，４４４は、被固定部４１０と連結部４５０との間に位置している。図６に示されるように、初期状態において、可動端部４３６，４４６は受止部１１０Ｒから離れて位置している。図６及び図８から理解されるように、挿入物（図１３のカードアダプタ３０）が抜去方向（前方向）に移動して、押圧部（内壁３６）に被押圧部４３４，４４４が押圧されて後側コンタクト４００が変形した際に、４３６，４４６は上述した保持部材１１０の受止部１１０Ｒに受け止められ、受止部１１０Ｒの上をスライドしながら移動する。
【００４７】
本実施の形態において、２つの可動端部４３６，４４６が受止部１１０Ｒに受け止められることから、可動端部４３６，４４６にかかる応力を分散することができる。
【００４８】
図６及び図８を参照して、第２バネ部４７０は、可動起点部４５２から後側に延びている。第２バネ部４７０には、自由端である後端４７２と、カード２０（図１２参照）の電極２４と接触するための接点４７４とが設けられている。接点４７４は、後端４７２と可動起点部４５２との間に位置している。図８に示されるように、横方向における第２バネ部４７０の位置は、横方向における２つの被押圧部４３４，４４４の間に位置している。
【００４９】
図６及び図８から理解されるように、第２バネ部４７０の後端４７２は、被押圧部４３４，４４４よりも前側（＋Ｘ側）に位置している。従って、挿入物（図１３のカードアダプタ３０）が移動方向（前方向）に移動した際、挿入物の押圧部（内壁３６）が後端４７２のある位置に到達する前に被押圧部４３４，４４４に当たって被押圧部４３４，４４４を下方向に押し下げることとなる。上述したように、被押圧部４３４，４４４の押し下げにより、可動起点部４５２が下方向に移動すると、可動起点部４５２の移動に伴って第２バネ部４７０は下方向に移動する。このようにして、本実施の形態においては、前後方向において挿入物の押圧部（内壁３６）が第２バネ部４７０の位置に到達する頃には、第２バネ部４７０は初期状態から下方向に移動しており、挿入物の押圧部が第２バネ部４７０の後端４７２に接触することはない。従って、挿入物の抜去により第２バネ部４７０を含む後側コンタクト４００が座屈してしまうことを防止することができる。
【００５０】
初期状態において、後側コンタクト４００を横方向に沿って見た場合に、本実施の形態の第２バネ部４７０の後端４７２は、第１梁部４３０の上面４３２及び第２梁部４４０の上面４４２より下側（−Ｚ側）に位置している。換言すると、第１梁部４３０の上面４３２及び第２梁部４４０の上面４４２にて形成される面（曲面）よりも、第２バネ部４７０の後端４７２は下側に潜っている。従って、より確実に座屈防止をすることができる。しかしながら、本発明はこれに限定されるわけではなく、挿入物の押圧部（内壁３６）が第２バネ部４７０の後端４７２に接触しない限り、初期状態において、第２バネ部４７０の後端４７２が第１梁部４３０の上面４３２及び第２梁部４４０の上面４４２より上側（＋Ｚ側）に位置していてもよい。
【００５１】
図５、図６及び図１０に示されるように、第２バネ部４７０の後端４７２は、初期状態において保持部材１００の主面１０２よりも上側（＋Ｚ側）に位置している。これにより、接点４７４の位置も高くすることができ、接点４７４の移動距離も大きくとることができる。従って、カード２０（図１２参照）の電極２４に対する接点４７４の接触力も十分確保することができる。
【００５２】
上述した前側コンタクト３００の場合（図１１参照）と同様に、後側コンタクト４００の第２バネ部４７０の後端４７２は、カード２０（図１２参照）の電極２４が接点４７４と接触している状態において回路基板５０の搭載面５２まで達しないように、設けられている。従って、第２バネ部４７０の後端４７２が回路基板５０に突き当り回路基板５０を傷付けてしまったり、逆に回路基板５０に後端４７２が突き当たることで第２バネ部４７０が変形してしまったりすることを避けることができる。
【００５３】
以上、本発明について実施の形態を掲げて具体的に説明してきたが、本発明はこれに限定されるわけではなく、様々な変形等が可能である。例えば、前側コンタクト３００の第１バネ部３２０や後側コンタクト４００の第１バネ部４２０は、鼓形状のようなアウトラインを有していてもよい。
【００５４】
上述した実施の形態において、初期状態において、可動端部３６２は受止部１１０Ｆから離れて位置しており、可動端部４３６，４４６は受止部１１０Ｒから離れて位置していたが、本発明はこれに限定されるわけではない。例えば、初期状態において、可動端部３６２が受止部１１０Ｆに接していてもよいし、可動端部４３６，４４６が受止部１１０Ｒに接していてもよい。
【００５５】
上述した実施の形態において、前側コンタクト３００の第１梁部３３０と第２梁部３４０とは接続端部３６０により一つにまとめられていたが、後側コンタクト４００の第１梁部４３０と第２梁部４４０のように、接続端部３６０を設けずに第１梁部３３０の前端部３３６と第２梁部４４０の前端部４３６とを可動端部としてもよい。この場合、応力分散という効果は得られるが、カード２０（図１２参照）の斜め挿入により前側コンタクト３００が破損してしまう可能性がある。従って、上述した実施の形態のように、接続端部３６０を設けることが好ましい。
【００５６】
上述した実施の形態において、前側コンタクト３００の第２バネ部３７０は、連結部３５０の可動起点部３５２から前側に延びていたが、後側コンタクト４００のように、第２バネ部３７０を連結部３５０の可動起点部３５２から後側に延びるように構成してもよい。その場合、前側コンタクトの座屈防止は、カードアダプタ３０単体を抜去する場合を考慮すべきであるので、被押圧部３３４，３４４も後側コンタクト４００の被押圧部４３４，４４４のように第２バネ部３７０の後端（自由端）より後側に位置させる必要がある。
【００５７】
上述したように、本実施の形態の保持部材１００には、受止部１１０Ｆ，１１０Ｒが設けられていたが、本発明はこれに限定されるわけではない。例えば、図１４に示されるように、変形例によるコネクタ１０Ａの保持部材１００Ａには、受止部に相当する部位が設けられていない。同様に、受止部１１０Ｒを設けなくともよい。この場合、回路基板５０（図１１参照）の搭載面５２の一部が受止部と同じ機能を提供することとなる。但し、受止部が設けられていないと、コネクタ１０の回路基板５０への搭載状態によって接点３７４の移動量が変わることになる。従って、一定の接触力を確保するためには、上述した実施の形態のような構成が好ましい。
【００５８】
また、図１５に示されるように、他の変形例によるコネクタ１０Ｂの保持部材１００Ｂには、金属製の受止部１１０Ｍが組み込まれている。この受止部１１０Ｍは、押圧部（図１２のカード２０の先端２２や図１３のカードアダプタ３０の先端３４）に被押圧部３３４，３４４が押圧されて前側コンタクト３００が変形した際に可動端部３６２を移動可能に受け止める。受止部１１０Ｍは、前側コンタクト３００の形状を変更して、その変更した前側コンタクトの一部を利用して構成してもよいし、補強部材１２０の一部を利用して構成してもよい。図１５には、前側の受止部１１０Ｍのみが示されているが、後側の受止部も同様に構成することとしてもよい。
【００５９】
上述した実施の形態において、前側コンタクト３００の第１バネ部３２０は、第１梁部３３０、第２梁部３４０及び連結部３５０からなるＨ字形状の部位を有するものであったが、本発明はこれに限定されるわけではない。例えば、第１バネ部３２０は、二股に分かれた腕部を有するＹ字状のものであってもよい。その場合、第２バネ部３７０は、２つの腕部の根元（二股分岐点）から延びており、また、被押圧部３３４，３４４は、２つの腕部に夫々設けられる。後側コンタクト４００の第１バネ部４２０についても同様に変形可能である。
【００６０】
上述した実施の形態において、コネクタ１０は、マイクロＳＩＭカード用のものであったが、本発明はこれに限定されるわけではない。例えば、カード２０を標準ＳＩＭカードとしてもよい。即ち、コネクタ１０を標準ＳＩＭカード用のコネクタとしてもよい。この場合、カードアダプタ３０は、例えば、マイクロＳＩＭカードをコネクタ１０に接続するためのものとなる。
【００６１】
上述した実施の形態においては、構造上理解されるように、コネクタ１０からカード２０やカードアダプタ３０を抜去するためには、作業者が指でカード２０やカードアダプタ３０を前方向に押し出す必要があったが、カード２０やカードアダプタ３０を後方向に押し込んだ後にカード２０やカードアダプタ３０を離すことによりカード２０やカードアダプタ３０を排出させるプッシュプッシュ機構をコネクタ１０に設けることとしてもよい。
【符号の説明】
【００６２】
１０，１０Ａ，１０Ｂ        コネクタ
１２        収容部
２０        カード（挿入物）
２２        先端（押圧部）
２４        電極
３０        カードアダプタ（挿入物）
３２        空間
３４        先端（押圧部）
３６        内壁（押圧部）
５０        回路基板
５２        搭載面
１００，１００Ａ，１００Ｂ        保持部材
１０２        主面
１１０Ｆ，１１０Ｒ，１１０Ｍ        受止部
１２０        補強部材
２００        シェル
３００        前側コンタクト（コンタクト）
３１０        被固定部
３２０        第１バネ部
３３０        第１梁部
３３２        上面
３３４        被押圧部
３３６        前端部
３４０        第２梁部
３４２        上面
３４４        被押圧部
３４６        前端部
３５０        連結部
３５２        可動起点部
３６０        接続端部
３６２        可動端部
３７０        第２バネ部
３７２        前端（自由端）
３７４        接点
４００        後側コンタクト（コンタクト）
４１０        被固定部
４２０        第１バネ部
４３０        第１梁部
４３２        上面
４３４        被押圧部
４３６        前端部（可動端部）
４４０        第２梁部
４４２        上面
４４４        被押圧部
４４６        前端部（可動端部）
４５０        連結部
４５２        可動起点部
４６０        追加連結部
４７０        第２バネ部
４７２        後端（自由端）
４７４        接点
−Ｘ        後方向（移動方向、挿入方向）
＋Ｘ        前方向（移動方向、抜去方向）
Ｙ        横方向
−Ｚ        下方向
【図１】
0005957104.tif 000002
【図２】
0005957104.tif 000003
【図３】
0005957104.tif 000004
【図４】
0005957104.tif 000005
【図５】
0005957104.tif 000006
【図６】
0005957104.tif 000007
【図７】
0005957104.tif 000008
【図８】
0005957104.tif 000009
【図９】
0005957104.tif 000010
【図１０】
0005957104.tif 000011
【図１１】
0005957104.tif 000012
【図１２】
0005957104.tif 000013
【図１３】
0005957104.tif 000014
【図１４】
0005957104.tif 000015
【図１５】
0005957104.tif 000016
【図１６】
0005957104.tif 000017